(57)【特許請求の範囲】
【請求項１】
複数の脚を有する下部構造体と、該下部構造体の上端部に支持された上部構造体とを備え、前記上部構造体が、前記下部構造体よりも一方側に張り出したブームと、該ブームに沿って移動するトロリと、該トロリを介して垂下されるワイヤーロープと該ワイヤーロープに開閉自在に支持されるバケットとを有するグラブバケット式アンローダにおいて、
前記トロリに取り付けられて上下に伸縮する筒状の飛散防止部材を備え、この飛散防止部材が下方に伸縮して前記バケットの外周側を覆う構成にしたことを特徴とするグラブバケット式アンローダ。
【請求項２】
前記飛散防止部材が、少なくとも前記バケットがバルク貨物を掬い取って保持している状態のときには、このバケットの外周側を覆う構成にした請求項１に記載のグラブバケット式アンローダ。
【請求項３】
前記バケットによりバルク貨物を掬い取る際には、前記飛散防止部材の下端を前記バケットの上端よりも上方位置に設定し、
前記バケットがバルク貨物を掬い取って保持し、所定高さまで上方移動した際には、前記飛散防止部材の下端を前記バケットの下端よりも下方位置に移動させてこの飛散防止部材により前記バケットの外周側を覆う構成にした請求項１又は２に記載のグラブバケット式アンローダ。
【請求項４】
前記飛散防止部材の下端の位置を調節する制御装置を備え、
前記制御装置が前記飛散防止部材の下端を予め設定された規制位置より下方移動することを規制する制御を行う構成にした請求項１〜３のいずれか１項に記載のグラブバケット式アンローダ。
【請求項５】
前記飛散防止部材の下端部の開口を閉口可能な構成にした請求項１〜４のいずれか１項に記載のグラブバケット式アンローダ。
【発明の詳細な説明】
【技術分野】
【０００１】
本発明は、グラブバケット式アンローダに関し、より詳細には、バルク貨物を荷役する際に、開閉式のバケットからバルク貨物の破片や塵が空気中に舞い上がり飛散することを防止できるグラブバケット式アンローダに関する。
【背景技術】
【０００２】
船舶の船倉内にあるバルク貨物（例えば、鉄鉱石や石炭など）を岸壁上に荷役する荷役機器としてアンローダがある（例えば、特許文献１又は特許文献２参照）。
【０００３】
特許文献１では複数のバケットを連続的に回転させる回転機構を有し、そのバケットと回転機構とをカバーで覆った連続式アンローダが提案されている。しかし、この文献で提案されている連続式アンローダは機構が複雑で機器も多く付いているため、価格が高く、機器の保守費用も高い。また、回転機構を有するアーム部を船舶の船倉内に入れて作業するため、アンローダの電源が喪失した際に、船舶を出港できる状態にするために多大な労力が掛かる。例えば、地震の発生時にアンローダの電源が喪失した場合には、船舶を津波から避難させるためにアーム部を引き千切らなければならい事態があり、その修復に多大な時間と費用を要する。
【０００４】
特許文献２では開閉型のバケットを海陸方向に移動するトロリから吊り下げた構造のグラブバケット式アンローダが提案されている。この文献で提案されているグラブバケット式アンローダは連続式アンローダの欠点を補うが、グラブバケット式アンローダの構造では、グラブバケットでバルク貨物を荷役する際に、バルク貨物の破片や塵が空気中に舞い上がり飛散する問題がある。そして、これらが飛散することで周辺の環境が悪化する。
【０００５】
特許文献２ではアンローダから船舶上に張り出した回収板を設けて、バケットを移動する際にバケットの真下に落下する破片や塵をその回収板により回収することが開示されている。しかし、その回収板では、空気中に舞い上がり飛散した破片や塵を回収することができない。
【先行技術文献】
【特許文献】
【０００６】
【特許文献１】実公昭６３−１６６６４号公報
【特許文献２】特開２０１２−１１６５９１号公報
【発明の概要】
【発明が解決しようとする課題】
【０００７】
本発明は、上記の問題を鑑みてなされたものであり、その課題は、バルク貨物を荷役する際に、開閉式のバケットからバルク貨物の破片や塵が空気中に舞い上がり飛散することを防止できるグラブバケット式アンローダを提供することである。
【課題を解決するための手段】
【０００８】
上記の課題を解決するための本発明のグラブバケット式アンローダは、複数の脚を有する下部構造体と、該下部構造体の上端部に支持された上部構造体とを備え、前記上部構造体が、前記下部構造体よりも一方側に張り出したブームと、該ブームに沿って移動するトロリと、該トロリを介して垂下されるワイヤーロープと該ワイヤーロープに開閉自在に支持されるバケットとを有するグラブバケット式アンローダにおいて、前記トロリに取り付けられて上下に伸縮する筒状の飛散防止部材を備え、この飛散防止部材が下方に伸長して
前記バケットの外周側を覆う構成にしたことを特徴とする。
【発明の効果】
【０００９】
本発明のグラブバケット式アンローダによれば、必要な場合に筒状の飛散防止部材が下方に伸長させることで、バケットの外周側を覆うことができ、バルク貨物の破片や塵が空気中に舞い上がり飛散することを防止することができる。これにより、バルク貨物の破片や塵によって周囲の環境が汚染されることが防止される。
【００１０】
ここで、前記飛散防止部材が、少なくとも前記バケットがバルク貨物を掬い取って保持している状態のときには、このバケットの外周側を覆う構成にすることもできる。
【００１１】
この構成によれば、バケットからバルク貨物の破片や塵が飛散する可能性が最も高い状態のときに飛散防止部材でバケットの外周側を覆うので、バルク貨物の破片や塵が飛散することを効果的に防止できる。
【００１２】
また、前記バケットによりバルク貨物を掬い取る際には、前記飛散防止部材の下端を前記バケットの上端よりも上方位置に設定し、前記バケットがバルク貨物を掬い取って保持し、所定高さまで上方移動した際には、前記飛散防止部材の下端を前記バケットの下端よりも下方位置に移動させてこの飛散防止部材により前記バケットの外周側を覆う構成にすることもできる。
【００１３】
この構成によれば、飛散防止部材をバケットの状態に合わせて伸縮させることで、バケットがバルク貨物を掬い取る際に、バケットが飛散防止部材で覆われて見えなくなることを回避することができる。これにより、バケットがバルク貨物を掬い取る作業の際に飛散防止部材が邪魔になり、充分な掬い取り量が得られずに荷役作業の効率が低下することを回避することができる。
【００１４】
前記飛散防止部材の下端の位置を調節する制御装置を備え、前記制御装置が前記飛散防止部材の下端を予め設定された規制位置より下方移動することを規制する制御を行う構成にすることもできる。
【００１５】
この構成によれば、所望の位置に規制位置を設定することで飛散防止部材の下端の下方移動を規制することができる。例えば、規制位置がバルク貨物の上端に設定されると、飛散防止部材の下端にバルク貨物の破片や塵が付着することを防止できる。
【００１６】
前記飛散防止部材の下端部の開口を閉口可能な構成にすることもできる。この構成によれば、従来技術のようにアンローダから船舶上に張り出した回収板を設けなくても、バルク貨物の破片や塵がバケットの真下に落下することを防止できる。
【図面の簡単な説明】
【００１７】
【図１】本発明のグラブバケット式アンローダの第一実施形態を側面視で例示する説明図である。
【図２】図１の飛散防止装置を拡大して例示する説明図である。
【図３】図１のバケットでバルク貨物を掬い取る状態を例示する説明図である。
【図４】図１のバケットでバルク貨物を掬い取り、そのバケットが所定の高さに昇降した状態を例示する説明図である。
【図５】図１のバケットでバルク貨物をホッパーに荷卸しする状態を例示する説明図である。
【図６】本発明のグラブバケット式アンローダの第二実施形態を側面視で例示する説明図である。
【図７】図６の飛散防止部材の下端部が開口した状態の飛散防止装置を拡大して例示する説明図である。
【図８】図７の開口した状態の袋体を拡大して例示する説明図である。
【図９】図７の閉口した状態の袋体を拡大して例示する説明図である。
【図１０】本発明のグラブバケット式アンローダの第三実施形態を側面視で例示する説明図である。
【図１１】図１０の飛散防止装置を示し、（ａ）は図１０のＸＩ矢視図を示し、（ｂ）は図１０（ａ）のカバーの斜視図を示す。
【発明を実施するための形態】
【００１８】
以下、本発明のグラブバケット式アンローダ（以下、アンローダという）の実施形態について説明する。なお、以下では海陸方向をｘ方向とし、鉛直方向をｙ方向とする。また、高さについては地面からの高さとする。
【００１９】
図１に例示する第一実施形態のアンローダ１Ａはバルク貨物船２のバルク貨物倉２ａ内のバルク貨物３をバケット２６で掬い取って荷役する機器である。このアンローダ１Ａは下部構造体１０と上部構造体２０とを備え、下部構造体１０の上端部に上部構造体２０が支持されている。
【００２０】
下部構造体１０は脚１１と走行装置１２とシルビーム１３と支持用ビーム１４とポータルタイビーム１５とを有する。海側に立設される二本の脚１１は脚１１の対向方向に延設されたシルビーム１３によってそれぞれの下端が接合され、同様に支持用ビーム１４によってそれぞれの上端が接合されている。また、脚１１のそれぞれの下端に走行装置１２が接合される。陸側に立設される二本の脚１１も同様である。そして、ｘ方向に対向する海側の脚１１と陸側の脚１１とがポータルタイビーム１５によって接合される。
【００２１】
また、この下部構造体１０はホッパー１６と機内コンベア１７と回収板１８とを有する。ホッパー１６はその内壁が円錐形や四角錐に形成されたバルク貨物３の一時貯蔵槽で、上端開口部から投入されたバルク貨物３を底開式のじょうご型の口から機内コンベア１７に落下させる。機内コンベア１７はｘ方向にバルク貨物を運搬して、岸壁の縁に沿う方向に延設されたベルトコンベア１９にバルク貨物を渡す。回収板１８はホッパー１６の下部構造体１０からｘ方向の海側に張り出し、バルク貨物船２の上方領域まで延設されている。
【００２２】
上部構造体２０はガーダ２１とブーム２２とマスト２３とトロリ２４とワイヤーロープ２５とバケット２６と運転室２７と機械室２８とを有する。ガーダ２１は下部構造体１０の各支持用ビーム１４に支持されている。ブーム２２は下部構造体１０よりも海側のｘ方向に張り出し、ガーダ２１との接合部を軸にして起伏可能に構成されている。マスト２３はガーダ２１とブーム２２とを上方から支持している。
【００２３】
トロリ２４はそのガーダ２１とブーム２２とをｘ方向に横行可能に構成されている。ワイヤーロープ２５はトロリ２４から下方に垂下され、その下方側にバケット２６を開閉自在に支持している。運転手が搭乗する運転室２７はトロリ２４の陸側の端部に接合されるか、あるいはブーム、トロリに懸架されて独立して走行する。機械室２８にはブーム２２を起伏する起伏装置、トロリ２４を横行すると共にバケット２６を昇降する駆動装置、運転室２７の操作コンソールに接続され、起伏装置や駆動装置の制御を行う制御装置２９が配置されている。
【００２４】
また、このアンローダ１Ａは飛散防止装置３０を備える。飛散防止装置３０はトロリ２４の下端に取り付けられた円筒状の飛散防止部材３１とその飛散防止部材３１をｙ方向の上下に伸縮させる伸縮装置３２とを有する。
【００２５】
図２に示すように、飛散防止部材３１は蛇腹構造を有し、円筒面に山折りと谷折りが繰り返し形成されている。この飛散防止部材３１の内径ｒ１はバケット２６が飛散防止部材３１の径方向に開いた際にバケット２６の外周部が飛散防止部材３１に接触しない大きさに設定される。
【００２６】
この飛散防止部材３１の上端３１ａはトロリ２４の下端に固定され、下端３１ｂは蛇腹構造が上下に伸縮することによってその位置が上方及び下方に移動可能である。この構成により、バケット２６がバルク貨物３を掬い取って保持し、バケット２６の下端が所定の高さＨ２まで上方移動して、飛散防止部材３１の下端３１ｂの高さＨ１がその高さＨ２よりも低くなったときに、この飛散防止部材３１はバケット２６の外周側を覆う。なお、この所定の高さＨ２はバルク貨物倉２ａの上端の高さＨ３やホッパー１６の上端開口部の高さなどにより変更可能であり、高さＨ３よりも低く設定することも可能である。
【００２７】
伸縮装置３２は複数組のウインチ３３とロープ３４とを有する。なお、この実施形態では二組とし、二組のウインチ３３とロープ３４とは飛散防止部材３１の径方向に互いに対向配置される。ロープ３４は飛散防止部材３１内に垂下され、一端がウインチ３３に、他端が飛散防止部材３１の下端３１ｂに接合される。
【００２８】
また、この飛散防止装置３０は飛散防止部材３１の下端３１ｂにバルク貨物倉２ａ内のバルク貨物３の上端の飛散防止部材３１の下端３１ｂからの距離を取得するレーザー距離計３５を有する。このレーザー距離計３５は飛散防止部材３１の下端３１ｂ又はトロリ２４の下端面に設置される。
【００２９】
伸縮装置３２のウインチ３３とレーザー距離計３５とはそれぞれ制御装置２９に接続されている。制御装置２９はバケット２６の動作とその位置を駆動装置の状態から取得し、その取得したバケット２６の動作とその位置とに基づいて飛散防止部材３１の下端３１ｂの位置を調節する制御を行う。また、同時に、レーザー距離計３５が取得した飛散防止部材３１の下端３１ｂからバルク貨物３の上端までの距離に基づいて飛散防止部材３１の下端３１ｂの位置を調節する制御を行う。
【００３０】
次に、アンローダ１Ａの荷役動作について説明する。
【００３１】
図３に示すように、トロリ２４をバルク貨物船２の上方まで移動させて、バケット２６をバルク貨物倉２ａ内のバルク貨物３を掬い取れる位置まで下方移動させる。次いで、バケット２６を開いてバルク貨物３を掬い取る。
【００３２】
このとき、制御装置２９が飛散防止部材３１の下端３１ｂの高さＨ４をバケット２６の上端の高さＨ５よりも高くするように、飛散防止部材３１の下端３１ｂの位置を調節する制御を行う。この高さＨ４は運転手が運転室２７からバケット２６の動作を視認可能な高さが好ましく、この実施形態ではバルク貨物倉２ａの上端の高さＨ３よりも高く設定されている。
【００３３】
このように、バケット２６でバルク貨物３を掬い取る際には、飛散防止部材３１の下端３１ｂの位置を運転手が運転室２７からバケット２６の動作を視認可能な高さＨ４に調節することで、バケット２６が飛散防止部材３１で覆われて見えなくなることを回避する。これにより、バケット２６がバルク貨物３を掬い取る作業の際に飛散防止部材３１が邪魔になり、荷役作業の効率が低下することを回避する。
【００３４】
次いで、図４に示すように、バケット２６によってバルク貨物３を掬い取って保持し、バケット２６を高さＨ２まで上方移動させる。なお、ここでは、高さＨ２がバルク貨物倉２ａの上端の高さＨ３よりも低く設定されている。
【００３５】
このとき、制御装置２９が飛散防止部材３１の下端３１ｂの高さＨ６をバケット２６の下端の高さＨ２よりも低くするように、飛散防止部材３１の下端３１ｂの位置を調節する制御を行う。このように、バケット２６でバルク貨物３を掬い取った後は、バルク貨物倉２ａ内で飛散防止部材３１によりバケット２６の外周側を覆うことが望ましい。これにより、バケット２６がバルク貨物倉２ａから外に出る前に飛散防止部材３１がバケット２６の外周側を覆うので、バルク貨物３の破片や塵が飛散することを防止する。
【００３６】
また、このとき同時に、レーザー距離計３５が飛散防止部材３１の下端３１ｂとバルク貨物３の上端との距離Ｌ１を取得する。次いで、制御装置２９がその距離Ｌ１がゼロにならない位置の高さを規制位置に設定する。次いで、制御装置２９が飛散防止部材３１の下端３１ｂをその規制位置より下方移動することを規制する制御を行う。
【００３７】
これにより、飛散防止部材３１の下端３１ｂにバルク貨物３の破片や塵が付着することを防止して、その破片や塵が飛散することを防止する。
【００３８】
次いで、図５に示すように、トロリ２４をホッパー１６の上方まで移動させて、バケット２６を下方移動させてホッパー１６の上端開口部に近接させる。
【００３９】
ここでトロリ２４を移動させることでバルク貨物３の破片や塵がバケット２６から飛散しても、バケット２６の外周側が飛散防止部材３１に覆われているので、飛散防止部材３１の外側に飛散しない。飛散防止部材３１の内壁に衝突した破片や塵は飛散防止部材３１の下端３１ｂの開口部から回収板１８に落下する。そして、その落下した破片や塵は回収板１８から機内コンベア１７へ回収される。従って、この回収板１８のトロリ２４の移動方向に直交する方向の幅は、少なくとも飛散防止部材３１の内径ｒ１よりも広く設定されることが好ましい。また、この回収板１８とトロリ２４を移動させる際の飛散防止部材３１の下端３１ｂとの間の距離を近接させるとより飛散防止に有利である。
【００４０】
次いで、バケット２６を開いて、バケット２６によって掬い取ったバルク貨物３をホッパー１６に投入する。
【００４１】
このとき、制御装置２９が飛散防止部材３１の下端３１ｂの高さＨ７をホッパー１６の上端の高さＨ８と同等にするように、飛散防止部材３１の下端３１ｂの位置を調節する制御を行う。このように、バケット２６からホッパー１６へバルク貨物３を投入する場合には、飛散防止部材３１の外周面よりも大きく開口しているホッパー１６の上端開口部から飛散防止部材３１の下端３１ｂをホッパー１６内部まで下げることで、バルク貨物３の投入時のバルク貨物３の破片や塵が飛散することを防止する。
【００４２】
上記のアンローダ１Ａによれば、飛散防止部材３１が下方に伸長することで、バケット２６の外周側を覆うことができ、バルク貨物３の破片や塵が空気中に舞い上がり、回収板１８で回収できない所まで飛散することを防止することができる。これにより、バルク貨物３の破片や塵によって周囲の環境が汚染されることを防止することができる。
【００４３】
また、飛散防止部材３１をバケット２６の状態に合わせて伸縮させることで、バケット２６がバルク貨物３を掬い取る際に、バケット２６が飛散防止部材３１で覆われて見えなくなることを回避することができる。これにより、バケット２６の掬い取り量が少なくなって荷役作業の効率が低下することを回避することができる。
【００４４】
図６に示すように、第二実施形態のアンローダ１Ｂは、上記の下部構造体１０から回収板１８を外し、上記の飛散防止装置３０に代えて飛散防止部材４１の下端開口を閉口可能にした飛散防止装置４０を備える。この飛散防止装置４０は飛散防止部材４１と伸縮兼開閉装置４２とレーザー距離計４９とを有する。この飛散防止部材４１は蛇腹筒４３と袋体４４とを有し、蛇腹筒４３が第一実施形態と同様に上下に伸縮し、袋体４４が蛇腹筒４３の下端部側を開閉する構成である。従って、この飛散防止部材４１は袋体４４が開口した際に筒状になり、袋体４４が閉口した際に一端部側が閉口した筒状になる。
【００４５】
図７に示すように、蛇腹筒４３は蛇腹構造を有し、円筒面に山折りと谷折りが繰り返し形成されている。この蛇腹筒４３の上端４３ａはトロリ２４の下端に固定され、下端４３ｂは蛇腹構造が上下に伸縮することによってその位置が上方及び下方に移動可能である。
【００４６】
袋体４４は上端４４ａから下端４４ｂに向って縮径した筒状に形成される。また、この袋体４４は上端４４ａが蛇腹筒４３の内側面に接合され、蛇腹筒４３の内部に垂下している。加えて、袋体４４は下端４４ｂ側の外周縁又は内周縁に環状にロープ４７Ｂが挿通された巾着構造４５を有する。この袋体４４は蛇腹筒４３内で巾着構造４５により開口及び閉口する。この袋体４４の巾着構造４５により開口した場合は袋体４４の外周側が蛇腹筒４３の内壁に近接して二重管状になる。
【００４７】
伸縮兼開閉装置４２は伸縮装置として複数組のウインチ４６Ａとロープ４７Ａとを有し、開閉装置として少なくとも一組のウインチ４６Ｂとロープ４７Ｂと滑車４８とを有する。二組のウインチ４６Ａとロープ４７Ａとは飛散防止部材４１の径方向に互いに対向配置される。ロープ４７Ａは一端がウインチ４６Ａに接合され、飛散防止部材４１の蛇腹筒４３内に垂下され、袋体４４に設けた挿通孔４４ｃを経由して、他端が蛇腹筒４３の下端４４ｂに接合される。
【００４８】
図８に示すように、ロープ４７Ｂは一端がウインチ４６Ｂに接合される。また、このロープ４７Ｂは飛散防止部材４１の蛇腹筒４３内に垂下され、袋体４４に設けた挿通孔４４ｃを経由して、滑車４８に掛けられる。そして、他端が巾着構造４５を経由して蛇腹筒４３の内側面に接合される。
【００４９】
このアンローダ１Ｂは、バケット２６がバルク貨物３を掬い取って所定の高さまで上方移動し、飛散防止部材３１の下端３１ｂの高さをバケット２６の下端の高さよりも低くなるまでは、蛇腹筒４３は第一実施形態の飛散防止部材と同様に制御される。このとき、袋体４３は開口したままの状態に制御される。
【００５０】
図９に示すように、飛散防止部材３１の下端３１ｂの高さをバケット２６の下端の高さよりも低くなったときに、ウインチ４６Ｂがロープ４７Ｂを巻き取る。次いで、ロープ４７Ｂが巻き取られることにより、袋体４４を巾着構造４５が締り、袋体４４が閉口する。なお、閉口するタイミングは、バケット２６の下端の高さが袋体４４の巾着構造４５の高さよりも高くなったときとする。これにより、飛散防止部材４１がバケット２６の外周側に加えて、バケット２６の下方側も覆う。
【００５１】
このアンローダ１Ｂによれば、第一実施形態と同様に飛散防止部材４１がバケット２６の外周側を覆うのでバルク貨物３の破片や塵が飛散することを防止する。加えて、飛散防止部材４１の下端部の開口が閉口する、つまり飛散防止部材４１の下端側に設けた袋体４４が巾着構造４５により閉口するので、その閉口した袋体４４が飛散防止部材４１の蛇腹筒４３の下端４３ｂから落下するバルク貨物３の破片や塵を受け止める。これにより、アンローダから船舶上に張り出した回収板を設けなくても、バルク貨物３の破片や塵がバケット２６の真下に落下することを防止することができる。
【００５２】
図１０に示すように、第三実施形態のアンローダ１Ｃは、第一実施形態の飛散防止装置３０に代えて飛散防止装置５０を備える。この飛散防止装置５０は飛散防止部材５１と巻上装置５２とを有する。この飛散防止部材５１は複数のカバー５３を筒状に配置して構成されている。
【００５３】
図１１の（ａ）に示すように、カバー５３はロールアップ式のカバーである。各カバー５３は下端にＬ字状に形成された折曲保持部５４が接合され、下端がＬ字状に折れ曲がっている。このカバー５３のＬ字の短手５３ａが隣のカバー５３のＬ字の長手５３ｂに重なっている。これにより、隣接したカバー５３同士の隙間を埋めて筒状の飛散防止部材５１を構成している。複数の巻上装置５２のそれぞれは駆動部５５とカバー５３を巻き取る巻取芯棒５６とを有する。
【００５４】
このアンローダ１Ｃはバケット２６がバルク貨物３を掬い取って所定の高さまで上方移動した際に、巻上装置５２の駆動部５５によって巻取芯棒５６を回転して、図１１の（ｂ）に示すように、ロールアップ式のカバー５３の下端に設けた折曲保持部５４をバケット２６の下端よりも下方位置に移動させる。これにより、バケット２６の外周側を複数のカバー５３で筒状に構成された飛散防止部材５１によって覆って、バルク貨物３の破片や塵が周囲に飛散することを防止する。
【符号の説明】
【００５５】
１Ａ、１Ｂ、１Ｃ  アンローダ
２  バルク貨物船
２ａ  バルク貨物倉
３  バルク貨物
１０  下部構造体
１６  ホッパー
１７  機内コンベア
１８  回収板
２０  上部構造体
２４  トロリ
２５  ワイヤーロープ
２６  バケット
２７  運転室
２９  制御装置
３０、４０、５０  飛散防止装置
３１、４１、５１  飛散防止部材
３２  伸縮装置
３５  レーザー距離計
４２  伸縮兼開閉装置
４３  蛇腹筒
４４  袋体
４５  巾着構造
５２  巻上装置
５３  カバー
【図１】
0006275573.tif 000002
【図２】
0006275573.tif 000003
【図３】
0006275573.tif 000004
【図４】
0006275573.tif 000005
【図５】
0006275573.tif 000006
【図６】
0006275573.tif 000007
【図７】
0006275573.tif 000008
【図８】
0006275573.tif 000009
【図９】
0006275573.tif 000010
【図１０】
0006275573.tif 000011
【図１１】
0006275573.tif 000012